(57)【特許請求の範囲】
【請求項１】
車イス使用者が水害時に他者からの補助を受けずに防災避難できるように、車イスに固体式浮体とシート状の膨張式浮体を組み合わせて装備し、浸水時に当該シート状の膨張式浮体の一部を水密な袋形状にして当該車イス使用者の体が浸水に濡れないように体全体を下方から包み込むように膨張展開させ、これらの浮体全体により当該車イス使用者を車イスごと浸水の上面に浮き上がらせて当該車イス使用者の溺水を防止し、前記シート状の膨張式浮体に厚みと強度のあるものを使用することにより、当該車イス使用者に周辺の浮遊物や障害物が衝突する時の衝撃を抑制し、又、前記車イス使用者が水に濡れないようにすることにより当該車イス使用者の冬場の体温低下を避け、当該車イス使用者が一人乗りのボートに乗ったような状態にして水害から体を守り自力で避難できるように工夫された津波防災機能付き車イス。
【請求項２】
前記請求項１の津波防災機能付き車イスにおいて水密な袋形状の膨張式浮体の内部に入ってきた水を排水するために、前記袋形状の膨張式浮体の下部に水溜ポットを設置し、入って来た水を自動的に前記水溜ポットに移す弁構造を持ち、前記水溜ポットに人動で圧縮した空気を送ったり、ガスボンベを付設して手動でガスを送ったり、手動ポンプを使ったりすることによって、前記水溜ポット内の水を排水管を通して前記袋形状の膨張式浮体の外部に排水する人動式排水装置を付設している津波防災機能付き車イス。
【発明の詳細な説明】
【技術分野】
【０００１】
車イス使用者が津波などの水害に遭った時に、その溺水を防止し、その体が浮遊物や障害物と衝突する時の衝撃を抑制し、更には体が濡れないようにして冬場の体温低下を抑え、自力で津波防災し避難できるようにする車イス使用者の災害防止の技術分野。
【背景技術】
【０００２】
今までに考案された車イス使用者に対する津波防災装置は、車イスを救命ボートなどの別の装置に付けるものや、車イスにそりに付けるものなどがある。しかしながら、繋ぐ装置を近辺に準備しておき、そこまで移動する必要があるという難点があった。
又、車イスが避難し易くするためのスロープなどの通路を提供する津波防災設備もあるが、これもそのスロープのある場所まで、自力で移動する必要があり、途中の通路に障害物があるような場合には介護者や周辺の人に助けてもらうしかないという難点があった。そして、これらの技術の場合、車イス使用者の介護者や周辺にいる人はそのような助けをするために自身が津波に巻き込まれて災害に遭うケースが多く、津波災害時の大きな課題となっていた。
次に考案されたものには、一般的な津波防災設備として膨張式浮体をベッドの周辺に設置し津波浸水時にベッドを浮き上がらせて救命するもので、車イスに応用できると考えられるものや、車イスの周辺に固体式浮体をおき、車イスごと浮かび上がらせて救命するものがあったが、津波の激しい浸水に対しての頭などの体の主要部の保護がなく、更には冬場の水濡れに対する考慮がなかった。
又、防災フードを備えた車イスも考案されているが、頭の保護しか考えられておらず、車イスの前側からの浮遊物などによる衝撃や、冬場の水濡れに対する考慮がなかった。
【先行技術文献】
【特許文献】
【０００３】
【特許文献１】実用新案登録３２００４０２
【特許文献２】実用新案登録３２１５３４１
【特許文献３】特許公開２０１２−１４０８４２
【特許文献４】登録実用新案第３１８０９９０
【特許文献５】特許公開２０１４−１１３４３９
【特許文献６】特許公開２０１１−０６７３８７
【特許文献７】特許公開２０１３−０３１６１８
【発明の概要】
【発明が解決しようとする課題】
【０００４】
車イス使用者が津波の浸水前に自力でより高い所に避難しようとすると、車イスが通れるスペースが必要で、かつゆるやかなスロープでないと極めて困難であり、一般には介護者や周辺の人の助けがないと避難が難しい。そして、その介護者や周辺の人と共に津波災害に遭ってしまうケースが多い。その大きな理由は、車イス使用者は自身で避難することが困難であり、それを周辺の人が知っていて助けて上げようと思うからである。そこで車イス使用者が津波の浸水時に多くの浮遊物から身を守り、津波の浸水に濡れることなく、自身で避難出来て助かるような工夫を提供することが、当発明が解決しようとする課題である。
【課題を解決するための手段】
【０００５】
車イスに乗っている人を助けるために、津波の来る前に避難することができなくても、津波の浸水の中に入った時にその浸水を感知して車イスの周辺に設置した膨張式浮体を車イスと使用者全体を下方から包み込むように膨らませ、その全体を水表面に浮上させて溺水を防止する。シート状の膨張式浮体は厚みと強度を持たせ、津波浸水時の浮遊物や障害物による特に体の前面や側面などへの衝撃を抑える。膨張式浮体で覆われた車イスは、一人乗りのボートのような状態になり、車イスの使用者がオール形状の補助器具を使うことにより、津波の濁流の中で浮遊物や障害物を避けたり、より危険の少ない方向へ移動することによって、車イス利用者の津波災害防止を行う。更には、これによって介護者や近くにいる人の心配を軽減させて、それらの人が自分の避難に集中できるようにする。
車イスは相応の重さがありそれに人が乗っていることから、車イスと人の全体を浮かせるには多くの浮体が必要と考えられ、このようなことが考えられたことは少なかった。しかしながら、人体が水中に入った体積分は浮力として助けとなるし、人の体の大部分は水でできていて水と比重があまり変わらないことから、体を浮かせるために必要な浮力は少なくて済む。（これはライフジャケットの設計の考えに基づいている。）この津波防災機能付き車イスは、人体が浸かった体積分の水より人体が重い分と車イスの分の浮体を車イスに装着することを基本としている。
【発明の効果】
【０００６】
車イス使用者が、津波などの水害時に車イスごと自力で避難し災害防止できるようになる。  又、人動式排水装置により車イス使用者側に入った水を排水することで、その使用者の溺水の可能性を下げ冬場の体温低下を防止し、より安全に水害防止できるようになる。
【図面の簡単な説明】
【０００７】
【図１】図１は、津波防災機能付き車イスの設備図である。
【図２】図２は、津波防災機能付き車イスの展開図である。
【図３】図３は、人動式排水装置の設備図である。
【発明を実施するための形態】
【０００８】
車イス使用者の津波防災をするために、車イス使用者と車イスを合わせた全体を津波浸水中から水表面まで浮上させるために必要な分の浮体を車イスに装着する。使用する浮体としては、ウレタンなどの固体式浮体と空気を吹き込んで膨らませるシート状の膨張式浮体を組み合わせる。固体式浮体は浮体性能が安定していて破損に強いことから、車イスと車イス使用者を確実に浮かせるように、主として車イスの下部及び背面部に装着し車イスに固定する（図１の２参照）。そして、車イス使用者側は被災時にシート状の膨張型浮体で下方から車イス使用者全体をすっぽりと包み込まれるように工夫された形式とし、車イス使用者の前面や上部、側面などに拡張して展開する膨張式浮体は、車イス使用者が通常利用時に邪魔にならないように、折り畳み形式にして車イス使用者の足置き部や背もたれ上部、肘掛け上部などに収納しておく（図１の４、５a, b参照）。別の見方をすると、体全体を覆う袋状に製作したシート状の膨張式浮体を、工夫して車イス使用者の足置き部などに収納させる。袋状の膨張式浮体は収納のために体に対して多少だぶだぶに製作されることになるが、津波などの水中に入れば、水圧で体側に密着してくるので、水密な袋にしておけば、その袋の中に水が入って来ることは少ない。
全体として、その袋状の膨張型浮体に加えて車イス使用者の背面側には固体式浮体を組み合わせるなどして、バランスの取れた浮体性能を保持させる（図１の３参照）。なお、固体式浮体全体には、車イス使用者の頭部を水上に浮かせるまでの浮力を持たせる設計することにより、膨張型浮体の膨張が不調に終わっても問題が少ないようにして安全性を高めることを原則として考慮する。
又、当該シート状の膨張式浮体に厚みと強度のあるものを使用することにより、津波浸水時の浮遊物や障害物による車イス使用者への衝撃を抑えさせる。
これらの膨張式浮体は実際の津波浸水時に津波の浸水を感知して自動的に膨張し、収納部の膨張式浮体は下方から車イス使用者の前面や側面、頭部までを包み込むように膨張して拡張展開する（図２の９参照）。感知部は車イス下部に設置し、車イス使用者に水がかかる前に、つまり早い津波の浸水速度よりも早く展開させ、できるだけ水濡れを防止し、車イス使用者が水濡れによって、体温低下してしまうのを防止する。
この膨張によって固体式浮体による浮力に加えて全体的な浮力を増すことにより、車イス使用者は車イスと共に安定して水表面に浮上し、一人乗りのボートに乗って水面に浮いているような形となり、車イス使用者はその呼吸を確保することによって溺水を免れる。津波の浸水の感知とガスボンベからのガスの膨張式浮体への導入は、一般的な膨張式ライフジャケットのものと同様のものを採用する。又、浮き上がった車イス上の車イス使用者は、展開した腕袋から腕手を伸ばし、オール型などの補助器具を使って浮遊物や障害物を避けたり、浮き上がった水表面を移動することによって津波災害を防止することができる。
なお、被災時に車イス使用者の頭部を包み込む部分の膨張式浮体のシートは、外部が見えるように透明性の高いものを採用し車イス使用者の視界を確保する。
【０００９】
当該津波防災機能付き車イスは、冬場に水濡れ状態による体温低下を防止するために、内部に水が入らない水密構造にしている。しかしながら、津波などの激しい水害時には内部に水が入ってしまうと考えられる。そのような場合に、防災浮器の下部に排水できる水溜ポットを設置し、足や手などの人の動きで侵入した水を防災浮器の外部に排出できるように工夫した排水装置を設置しておくと有用であり、より安全に津波災害から避難できる。
具体的には、図３に示したように、防災浮器下部の外部に水溜ポットを設置し、防災浮器下部に溜まった水を水移送弁で水溜ポット側に移送する。この水移送弁は自身が軽質物でできていて、防災浮器下部に水が溜まってくると自動的に浮き上がり、中間部の開口部を通して、溜まった水を水溜ポット側に流下させることができる。又、水溜ポットには足や手などの人動で空気を送り込む装置などを設置して、水溜ポットに溜まった水を逆止弁付き排水管を通して外部に排出することができる。図３では、空気圧送ゴムを設置して、足を使って水溜ポットに空気を送り込み、水溜ポットから外部に排水している例を示している。その他の代替として手動式ポンプで送り出す方式や、水溜ポットにガスを送り込むボンベを付設し手動でその吐出弁を開ける方式も採用できる。
【符号の説明】
【００１０】
１    車イス部
２    外側固体式浮体
３    内側固体式浮体
４    膨張式浮体
５a, b  膨張式浮体収納部
６    使用者固定用ベルト
７    人動式排水設備
８    補助器具
９    収納部から拡張展開した膨張式浮体
１０  収納部から展開した作業用腕袋
３１  防災浮器下部
３２  水溜ポット
３３  水移送弁
３４  空気圧送ゴム
３５  逆止弁付き排水管
【要約】
【課題】
車イス使用者が津波浸水前に避難しようとすると、一般には介護者や他者の助けがないと難しい。そして、その介護者などと共に津波災害に遭ってしまうケースが多い。そこで、車イス使用者が自力で避難出来て助かるような工夫を提供することが、当発明が解決しようとする課題である。
【解決手段】
車イスに浮体を装備し津波の浸水を感知して設置した浮体を膨らませて車イス使用者を車イスごと浮かべ上がらせて溺水を防止し、一人乗りのボートに乗ったような状態にし、津波災害防止と自力避難ができるようにする。そして、介護者や近くにいる人の心配を軽減させて、それらの人が自分の避難に集中できるようにする。
【選択図】図2【図１】
0006781874.tif 000002
【図２】
0006781874.tif 000003
【図３】
0006781874.tif 000004